(57)【要約】【課題】カメラ本体の温度が、記録用メモリの温度範囲を超えた場合で、撮影した画像データを失わないようにする。【解決手段】被写体の光信号から画像データを形成する画像データ形成手段と、画像データを記録する内部記録手段と、画像データを記録する１又は複数の着脱可能な外部記録媒体記録手段と、複数の記録手段の１つを画像データ記録用記録手段として記録先設定を行う記録先設定手段と、複数の記録手段毎の使用温度範囲を予め記憶している記憶手段と、画像データをネットワークを介して画像受信・記録手段に送信する送信手段と、温度を検知する温度センサとを備えた画像記録再生装置であって、温度センサによって検知された本体内の温度が、記録先設定手段により記録先設定がなされている画像データ記録用記録手段の使用温度範囲を超えた温度が検知されたときは、画像データを他の記録手段に記録する制御を行う。【選択図】        図１
2004289307.tif 000002
【特許請求の範囲】
【請求項１】
光学系からの被写体の光信号を電気信号に変換する撮像手段と、
前記撮像手段からの電気信号をデジタル画像信号に変換するデータ変換手段と、  前記デジタル画像信号を処理して、画像データを形成する画像データ形成手段と、
前記画像データを記録する内部記録手段と、
前記画像データを記録する１又は複数の着脱可能な外部記録媒体記録手段と、
複数の記録手段の１つを画像データ記録用記録手段として記録先設定を行う記録先設定手段と、
複数の記録手段毎の使用温度範囲を予め記憶している記憶手段と、
前記画像データをネットワークを介して画像受信・記録手段に送信する送信手段と、
温度を検知する温度センサとを備えた画像記録再生装置であって、
前記温度センサによって検知された前記装置本体内の温度が、前記記録先設定手段により記録先設定がなされている画像データ記録用記録手段の使用温度範囲を超えた温度が検知されたときは、画像データを他の記録手段に記録する制御を行う制御手段と
を備えたことを特徴とする画像記録再生装置。
【請求項２】
前記制御手段は、前記温度センサーによって検知された温度がいずれの記録手段の使用温度範囲を超えたときは、前記画像データを前記画像受信・記録手段に送信するように前記送信手段を制御することを特徴とする請求項１に記載の画像記録再生装置。
【請求項３】
前記画像データを表示する表示装置を備え、前記画像データ記録用記録手段が設定変更された場合、その結果を表示装置に表示することを特徴とする請求項１に記載の画像記録再生装置。
【請求項４】
前記制御手段は、前記温度センサによって検知された前記装置本体内の温度が、前記内部記録手段及び前記１又は複数の外部記録手段の使用温度範囲を超えていた場合は、前記画像データの記録を禁止する制御を行うことを特徴とする請求項１に記載の画像記録再生装置。
【請求項５】
前記制御手段は、前記他の記録手段に記録された画像データを保持し、前記画像データ記録用記録手段が記録可能になった時点で、該画像データを該画像データ記録用記録手段に記録しなおす制御を行うことを特徴とする請求項１に記載の画像記録再生装置。
【請求項６】
前記制御手段は、画像データを画像データ記録用記録手段に記録しなおす制御を、前記温度センサの検知温度が該画像データ記録用記録手段の使用温度範囲になったこと及び該画像データ記録用記録手段の前記外部記録媒体の識別情報の一致に基づいて行い、異なった場合は、前記記録し直す制御を行わないことを特徴とする請求項５に記載の画像記録再生装置。
【発明の詳細な説明】
【０００１】
【発明が属する技術分野】
本願発明は、複数の記録媒体を備えた画像記録再生装置に関し、特に、装置本体の温度状態により、最適の記録媒体を選択できるように制御する携帯型の画像記録再生装置に関する。
【０００２】
【従来の技術】
携帯型画像記録再生装置、例えば、デジタルスチルカメラは、撮像した画像データをＣＣＤにより電気信号に変換して画像データを生成し、この画像データを制御装置（ＣＰＵ）により書き込み・保存するために、内蔵形式の内部記録媒体用内部記録装置（ＳＤＲＡＭ等）、着脱可能な外部記録媒体用外部記録装置（メモリスティク等）や、無線／有線等の通信手段により、他の電子機器の遠隔記録媒体に記録させるためのインターフェースを備えた遠隔記録制御装置を備えたものがある。
【０００３】
これらの記録媒体に記憶される画像データは１つの画像を構成する画像データ量が極めて多く、記憶容量のかなり大きい記憶媒体でないと、保存できる画像数が限られることとなる。
このため、外部記憶媒体用のインターフェースを複数設け、内部の制御装置によって自動、手動で切り替え、多数の画像を記憶できるようにしたものもある。
【０００４】
デジタルスチルカメラの内部記録媒体としては、ＤＲＡＭやＳＤＲＡＭが用いられている。ＤＲＡＭは、揮発性のためバックアップ電源が必要であり、画像データの保存用としては記憶容量が少なめであるが、書き込みスピードが高速であるため、撮影直後の画像データの書き込み・保存や、連写時の画像データの一時的確保の用途に適している。
【０００５】
デジタルスチルカメラの外部記録媒体としては、一般にメモリーを内蔵した名刺サイズ程度のカード型のメモリーカードと呼ばれるものが普及しており、外部記録装置に挿脱して使用される。
メモリーカードには、メモリースティック、コンパクトフラッシュ（ＣＦカード）、スマートメディア、等がある。
これらのメモリーカードは、不揮発性でバックアップ電源を必要とせず、記憶容量も数百ＭＢ程度あり、画像データの一時的保存には適し、交換が可能であるためユーザの個別管理ができる利点はあるが、書き込みスピードが遅く、長時間の撮影には複数個の記録媒体を用意しなければならない。
また、マイクロドライブというコンパクトフラッシュと同サイズの超小型ハードディスクも普及しつつありが、記憶容量がＧＢ単位のものもあり、高容量であるが、温度によって書き込みスピードが変化し、温度状態に敏感なメディアである。
【０００６】
遠隔記録媒体としては、インターネット等の無線、ケーブルによる有線によって画像データの転送が可能なものである、パソコン等のハードディスクの大容量の記録媒体があり、長期的保存には適しているが、書き込み速度は遅く、連続撮影等は困難である。また、携帯電話へ画像データを送信し、一時的に記録するという遠隔記録媒体もある。
【０００７】
記録媒体は、種類により記録可能温度限界が異なる。
ＤＲＡＭのような内部記憶媒体は、使用温度範囲が０〜８０度Ｃと範囲が広く、使用環境が悪くても耐性が高いものが多いが、低容量なので、頻繁に残量切れを起こしやすく、撮影枚数が多いと、記憶容量の大きい外部記憶媒体や大容量の遠隔記憶媒体に書き込み・保存しなければならず、画像データの一時的バッファという使用形態にならざるを得ない。
つまり、内部記憶媒体は、撮影直後の画像データの一時的バッファとして使用し、使用環境の劣化時や外部記録媒体が装着されていない場合の保存用（一時的待避バッファ）として使用することが最適といえる。
【０００８】
記憶容量がより大きいとされる外部記録媒体は、書き込みのスピードが遅いことや、ＤＲＡＭ等の通常の内部記録媒体（記憶容量小、書き込み速度大）などと違い、使用環境範囲が狭く、高温などでの使用を行う際、書き込み速度の著しい低下や、寿命の低下などをおこす恐れがある。メモリスティック、コンパクトフラッシュやマイクロドライブは、通常使用温度範囲は、０〜６５度Ｃとされている。つまり、外部記憶媒体は、画像データの最終的保存の前段としての中期的保存用として最適であるといえる。
【０００９】
【特許文献１】
特開２００１−１６９１６２号公報
【特許文献２】
特開平１０−２１０４４９号公報
【特許文献３】
特開２００１−１９７３５３号公報
【００１０】
【発明が解決しようとする課題】
通常、デジタルスチルカメラは、行楽、行事等の記録のために長時間の使用、シャッターチャンスを逃さないための連続撮影等が、一般的なユーザの使用形態といえる。
これらの場合、撮影を多く行えるためには、記録媒体は記憶容量の大きいものが望ましく、かつ、連続撮影を考慮すると、書き込み速度大のものが望ましいといえる。
【００１１】
また、従来のデジタルスチルカメラは、屋外や屋内での使用でも高温下での携帯、使用が想定されるとともに、ユーザが機器を長時間使用した場合などでは、記録媒体への書き込みや読み込みを行っていると、機器内の温度が上昇する。
また、複数の記録媒体を接続可能な装置においては、記録容量が飛躍的に増大するため、長時間の撮影が可能となるが、反面、装置が長時間起動しつづける状態を生むため、装置の加熱をさらに促す状況が発生する。
この状態での撮影を続けていると、記録媒体への書き込みの部分に劣化が生じ、最終的に記録媒体自体の破損となり、ユーザが撮影した静止画や動画を消失するという問題があった。
【００１２】
デジタルスチルカメラの使用状態において、選択されている記録媒体の温度が使用温度範囲を超えた場合、装置の保護のため、ユーザへの警告表示、装置自体の撮影を禁止する方法等がとられている。この場合、選択されていない記録媒体によって、撮影可能であっても、装置自体が撮影不可になるため、結果的に、ユーザの機会損失となる可能性があった。
【００１３】
特許文献１には、被写体を撮影するイメージセンサによって撮影された被写体像をリアルタイムで表示する表示手段と、被写体像の記録を指示する記録指示キーが操作されたとき光信号によって被写体像を記録媒体に記録する記録手段と、記録手段の周囲温度を検知する検知手段と、周囲温度に応じて記録手段を不能化する不能化手段備えたディジタルカメラが記載され、記録手段の周囲温度に関係なく表示手段が能動化されるため、高熱状態でもフレーミングが可能となることを効果として記載しているものである。特許文献１に記載されているディジタルカメラは、使用温度が記録媒体の使用温度範囲を超えた場合、記録動作を禁止し、ＣＣＤ等への電源供給は継続するというもので、前記課題を解決できるものではなかった。
【００１４】
特許文献２には、運転時における監視対象の動画像を撮影するカメラと、このカメラで得られた連続する複数の画像フレームから構成される動画像データを、一定時間毎の基準フレームとこの基準フレームからの変化量情報とからなる圧縮画像データに変換する画像圧縮部と、この画像圧縮部から出力された圧縮画像データの変化量情報が予め定められた許容値を越えると監視対象に対する異常警告を出力する手段とを備えた監視装置が記載されている。
監視装置として、温度異常を警告表示することが記載されているのみで、前記のような課題を解決するものではなかった。
【００１５】
特許文献３には、デジタルカメラの場合、記録メディアに画像又は画像と音声を記録している最中に内部電源が落ちると、記録メディアに中途半端な記録データが残ってしまうという課題があり、その課題を解決するために、書き換え可能な不揮発性メモリと、カメラの異常を検出する異常検出手段と、異常検出手段によって異常が検出されたときにカメラの動作を停止させるとともに、少なくとも異常停止時のカメラの動作状況を不揮発性メモリに記憶させる制御手段と、カメラの異常が解消されると、前記不揮発性メモリに記憶された内容に基づいて異常停止時のカメラの動作状況を知らせる警告手段とを備えたことを特徴とするデジタルカメラが記載され、異常検出はカメラ内の温度異常が含まれていることが記載されているが、前記のような課題を解決するものではなかった。
【００１６】
本発明は、通常は使用温度範囲が狭くても、大容量記憶媒体を設定記憶媒体として用い、使用環境範囲外になった場合ときに、使用環境範囲の広い他の記録媒体に切り替えて使用するか、他の記録装置に送信して記録するようにしたことにより、長時間撮影を行うことができる画像記録再生装置を提供することを目的とする。
【００１７】
【課題を解決するための手段】
本発明は、前記目的を達成するために、光学系からの被写体の光信号を電気信号に変換する撮像手段と、前記撮像手段からの電気信号をデジタル画像信号に変換するデータ変換手段と、前記デジタル画像信号を処理して、画像データを形成する画像データ形成手段と、前記画像データを記録する内部記録手段と、前記画像データを記録する１又は複数の着脱可能な外部記録媒体記録手段と、複数の記録手段の１つを画像データ記録用記録手段として記録先設定を行う記録先設定手段と、複数の記録手段毎の使用温度範囲を予め記憶している記憶手段と、前記画像データをネットワークを介して画像受信・記録手段に送信する送信手段と、温度を検知する温度センサとを備えた画像記録再生装置であって、前記温度センサによって検知された前記装置本体内の温度が、前記記録先設定手段により記録先設定がなされている画像データ記録用記録手段の使用温度範囲を超えた温度が検知されたときは、画像データを他の記録手段に記録する制御を行う制御手段とを備えた
【００１８】
さらに、前記制御手段は、前記温度センサーによって検知された温度がいずれの記録手段の使用温度範囲を超えたときは、前記画像データを前記画像受信・記録手段に送信するように前記送信手段を制御する。
また、前記画像データを表示する表示装置を備え、前記画像データ記録用記録手段が設定変更された場合、その結果を表示装置に表示する。
【００１９】
また、前記制御手段は、前記温度センサによって検知された前記装置本体内の温度が、前記内部記録手段及び前記１又は複数の外部記録手段の使用温度範囲を超えていた場合は、前記画像データの記録を禁止する制御を行う。
そして、前記制御手段は、前記他の記録手段に記録された画像データを保持し、前記画像データ記録用記録手段が記録可能になった時点で、該画像データを該画像データ記録用記録手段に記録しなおす制御を行う。
そして、前記制御手段は、画像データを画像データ記録用記録手段に記録しなおす制御を、前記温度センサの検知温度が該画像データ記録用記録手段の使用温度範囲になったこと及び該画像データ記録用記録手段の前記外部記録媒体の識別情報の一致に基づいて行い、異なった場合は、前記記録し直す制御を行わない制御を行う。
【００２０】
【発明の実施の形態】
図１は、本発明に係る画像記録再生装置をデジタルスチルカメラに適用した実施例の要部を示すブロック図である。
【００２１】
デジタルスチルカメラ１０は、レンズ、絞り、シャッタからなる光学系１１１及び光学系レンズ制御部１１２からなるレンズ部１１、被写体からの光をレンズ部１１を通して撮像素子１２１に結像させるための駆動回路１２２、同期回路１２２からなるＣＣＤ部１２、結像された被写体の光信号をデジタル信号に変換して画像信号を出力するフロントエンド部１３、フロントエンド部から出力された画像信号の処理を行い画像データを形成する、画質処理部１４１、圧縮／伸長回路１４２、ＳＤＲＡＭコントローラ１４３からなる画像データ形成部１４、画像データを記録する内部記録媒体であるＳＤＲＡＭ１５、デジタルスチルカメラ１０の全体制御を行う、ＣＰＵ１６１、記録媒体制御部１６２、ＲＡＭ１６３、デジタルスチルカメラ１０を制御するための制御用プログラムが記憶されているＲＯＭ１６４から構成される制御部１６、画像データの表示、ＯＳＤ表示（ｏｎ  ｓｃｒｅｅｎ  ｄｉｓｐｌａｙ）を制御する表示制御部１７、表示部１８、外部記録媒体２０を制御するメモリインタフェース部１９、画像データの送受信を行うネットワークインタフェース部２１、カメラ１０内の温度を検知する温度センサ部２３、電源制御部２４、各種操作ボタン等を備えた外部操作部２５から構成されている。なお、温度センサ部２３は、カメラ１０の本体内に設けられるが、メモリインターフェイス１９の近傍に設けるようにすれば、より正確に外部記録媒体の温度を検知することができる。
【００２２】
デジタルスチルカメラ１０の操作によって、撮像された画像信号は、デジタル画像信号に変換されて、画像データ形成部１４に出力さる。該画像信号は、一旦ＳＤＲＡＭ１５に書き込まれてから、画像データ形成部１４によって、画像データ、及び該画像データのインデックス（識別情報）となるサムネイル画像情報等が形成され、ＳＤＲＡＭ１５に書き込まれる。
【００２３】
以下に、本発明の特徴である画像データの記録制御の詳細を詳述する。
本実施例のデジタルスチルカメラ１０は、ＣＰＵ１６１、記録媒体制御部１６２、ＲＡＭ１６３及び制御用プログラムを格納したＲＯＭ１６４によりシステム制御がなされる。制御部１６は、ユーザによる外部操作部２５からの各種の操作ボタン（図示なし）の操作入力を受け付ける。外部操作部２５には、図示されていないがレリーズボタン、設定ボタン及び選択キーが設けられている。
【００２４】
さらに、制御部１６の記録媒体制御部１６２は、ＳＤＲＡＭ１５及びメモリカード２０の記憶容量の残容量を常に検出し、画像データ形成部１４から出力される画像データの記録先（記録媒体）設定及びその切替を制御する。
【００２５】
また、図１の実施例の場合、デジタルスチルカメラ１０のメモリインターフェイス１９には、２個のメモリカード２０１、２０２が装着可能とされている。
メモリカード２０１、及び／又はメモリカード２０２が装着されると、制御部１６の記録媒体制御部１６２は、メモリインターフェース１９からの信号により、メモリカード２０１、２０２が装着されたことを検知し、メモリカードの識別情報（カードＩＤ）を読み取り、ＲＡＭ１６３にメモリカード２０１、２０２のそれぞれのカードＩＤを記録する。また、メモリカードが交換されると、新たなメモリカードのＩＤを取得し、書き換え、記憶する。
ＲＯＭ１６４には、制御用プログラムのほかに、カメラに内蔵される内部記録媒体と、カメラに装着可能な外部記録媒体の諸元データが予め記憶されている。
【００２６】
記録媒体制御部１６２によってメモリカードに関する情報をＲＡＭ１６３に記憶する処理は、いわゆる初期化処理であって、この処理によって、記録媒体制御部１６２は、メモリカードの個体識別のための識別情報及びメモリカードの主要な諸元（記憶容量、使用温度範囲等）を認識することができ、後述する記録媒体制御部１６２による記録管理制御が可能となる。
【００２７】
画像データの記録先設定及び記録先の切替制御は、設定されている記録先の記録媒体の残容量を検出し、該残容量検知結果に基づき、該記録媒体の残容量が許容範囲外の場合、他の記録媒体に記録先を切替える制御を実行する。記録先の切替制御は、外部記録媒体相互の切替、内部記録媒体や遠隔記録媒体との切替が含まれる。
さらに、後述する温度管理制御に基づいて、設定されている記録先の記録媒体の使用環境温度が許容範囲外の時も他の記録媒体に切替える制御を実行する。
【００２８】
内部記録媒体としては、本実施例ではＳＤＲＡＭ１５が用いられる。ＳＤＲＡＭ１５の使用温度範囲は、０度Ｃ〜８０度Ｃとされている。
外部記録媒体として第１メモリカード２０１、第２メモリカード２０２を備えている。メモリインターフェース１９は、バス２２を介して画像データ処理部１４と接続されており、撮像されて画像データ処理部１４から出力された画像データは、メモリカード２０１、２０２に記録されるように制御される。
【００２９】
メモリカード２０１、２０２の記録媒体としては、例えばメモリスティク、コンパクトフラッシュ、スマートメディア、及びマイクロドライブ等のカード形状の記憶媒体（以下、「メモリカード」という。）等がある。
メモリカードは、例えば６４ＭＢ〜５１２ＭＢ程度の記憶容量を有し、使用温度範囲は、いずれも現時点で０度Ｃ〜６５度Ｃとされている。マイクロドライブは１ＧＢの記憶容量を有し、相対的に大容量であり、使用温度範囲は、０度Ｃ〜６５度Ｃとされているが、温度に敏感な特性を有している。
記録媒体として使用されるメモリカード２０１、２０２は、外部操作部２５のキーの操作に応じて記録媒体制御部１６２により選択制御される。
本実施例の場合、外部記録媒体として、２種のメモリカード２０１、２０２が装着できるようにドライブが設けられているが、一種類の外部記録媒体（メモリカード）のみのドライブであってもよい。
【００３０】
さらに、本実施例の場合、遠隔記録媒体用の２種類のネットワークインターフェース２１１、２１２が設けられている。ネットワークインターフェース２１１は、画像データ形成部１４から出力された画像データを制御部１６の制御により、アンテナ２１３から無線により遠隔記録媒体３０１（パソコン内の記録媒体、又は携帯電話のメモリ等）に送信されて記録されるためのものであり、さらにネットワークインターフェース２１２は、ケーブル２１４により、有線によってパソコン内の遠隔記録媒体３０２に送信されて記録されるためのものである。
遠隔記録媒体としては、無線、有線によって接続される２種のネットワークインターフェース２１１、２１２を示しているが、いずれか一種類の遠隔記録媒体であってもよい。
【００３１】
デジタルスチルカメラ１０による撮影は、ユーザの外部操作部２５（詳細は、図示なし。）のレリーズボタンの操作により、制御部１６がバス２２を介してレンズ部１１、ＣＣＤ部１２、フロントエンド部１３、画像データ処理部１４、ＳＤＲＡＭ１５、ＲＡＭ１６３、ＲＯＭ１６４等との間で必要なデータの授受が行われ、被写体を撮像した画像データの記録が行われる。
【００３２】
撮像操作がなされると、フォーカス制御、露出制御が行われてから、レンズ、絞り等を有するレンズ部１１を介して、被写体の光信号は、ＣＣＤ（固体撮像素子）部１２の受光面上に結像される。ＣＣＤ部１２は、受光面に結像された光信号をその光量に応じた量の電気信号に変換し、フロントエンド部１３に画像信号として出力する。フロントエンド部１３において、該画像信号は、Ａ／Ｄ変換されてデジタルデータに変換された後、画像データ形成回路１４に出力され、画像データ形成回路１４において、さらに画質調整回路１４１、圧縮／伸長回路１４２により、画質調整、圧縮処理等がなされて、画像データとしてＳＤＲＡＭコントローラ１４３に制御されて、ＳＤＲＡＭ１５に書き込まれ、その画像データは、制御部１６の制御により、選択されているメモリカード２０１、又はメモリカード２０２に、バス２２、メモリインターフェース１９を介して、書き込まれ、記録される。形成された画像データの表示は、画像データ形成部１４からバス２２を介して表示制御部１７に送られ、ＬＣＤ等の表示部２０上に表示される。
【００３３】
本実施例の画像データの記録管理制御動作について説明する。
画像データの記録管理制御動作が開始される際の初期設定状態は、電源オンの操作がなされて、電源制御部２４から各部材に電源供給がされ、画像データの記録手段としてメモリカード２０１が選択され、制御部１６はメモリカード２０１の識別情報を取得し、ユーザによる外部操作部２５のボタン等の操作により、いつでも撮像が可能な状態に設定されている。さらに、温度センサー２６は、デジタルスチルカメラ１０内の温度を検知して、温度情報としてを電源制御部２４に送信し、制御部１６は、電源制御部２４よりの温度情報の出力により画像データの記録管理制御可能な状態とする。
【００３４】
電源制御部２４は、制御部１６より現在カメラ１０に接続されている記録媒体のそれぞれの使用温度範囲をＲＯＭ１６４から取得すると共に、記録先記録媒体として設定されている記録媒体の設定情報を取得しており、その設定情報とＲＯＭ１６４に記憶されている記録媒体の使用温度範囲のデータとを比較し、使用温度範囲外とになった場合、制御部１６に対して、使用温度範囲外となった温度状態の警告信号Ａを送信する。
【００３５】
図２、図３は、本発明の記録管理制御の流れを示すフローチャートであり、以下に記録管理制御の動作を説明する。
【００３６】
デジタルスチルカメラ１０の電源がオンとされると、制御部１６は画像データの記録管理制御動作を開始し、初期設定がなされる。（Ｓ０１）
初期設定は、電源オンの操作がなされて、電源制御部２４から各部材に電源供給がされ、画像データの記録手段としてメモリカード２０１（第１の媒体）が選択され、制御部１６はメモリカード２０１の識別情報（ＩＤ）を取得し、ユーザによる外部操作部２５のボタン等の操作により、いつでも撮像が可能な状態とする。
さらに、温度センサー２６は、デジタルスチルカメラ１０内の温度を検知して、温度情報としてを電源制御部２４に送信し、制御部１６は、電源制御部２４よりの温度情報の出力により画像データの記録管理制御可能な状態となる。
【００３７】
温度センサ１５は、カメラ１０本体内の温度を検知し（ステップＳ０２）、温度情報を電源制御部２４に出力する。電源制御部２４は、制御部１６より現在カメラ１０に装着することができるメモリカード２０１、２０２、及びＳＤＲＡＭ１５のそれぞれの使用温度範囲と、記録先記録媒体として設定されている記録媒体の設定情報を取得しており、その情報と比較する。（ステップＳ０３）
使用温度範囲外とになった場合、制御部１６に対して、使用温度範囲外となった温度状態の警告信号を送信する。
制御部１６では、電源制御部２４よりの警告信号を受信したとき、現在記録が行われていない状態であれば、ステップＳ０７に進み、記録中の場合は（ステップＳ０４）、現在記録先として設定されているメモリカード２０１に対して記録を継続して行い（ステップＳ０５）、画像データの記録を終了させる。（ステップＳ０６）
次いで、制御部１６は、現在の本体温度において記録可能な記録媒体を選択し（ステップＳ０７）、記録可能な記録媒体があれば記憶容量の残量を検知し（ステップＳ０８）、使用温度範囲情報内で残量が多いものに記録先記録媒体として自動で切り替え（ステップＳ０９）、例えば、メモリカード２０２に切り替えられた場合はメモリインターフェース１９を介して新たに指定先記録媒体となったメモリカード２０２に対して、記録可能なように初期化処理を行う。（図３  ステップＳ２０）
【００３８】
ステップＳ０７において、現在の本体温度において記録可能な記録媒体が装着されていない場合、ネットワークインターフェイス２１１又は２１２が接続されいるかどうかチェックし（ステップＳ１０）、接続されていれば、アンテナ２１３又はケーブル２１４を経由して、無線又は有線によって、画像データを遠隔記録媒体３０１又は３０２に送信し（ステップＳ１１）、遠隔記録媒体３０１又は３０２に画像データを記録するようにする。
【００３９】
ステップＳ１１において、画像データの送信がいずれのネットワークインターフェイス２１１又は２１２によってもできなければ、制御装置１６は、画像データの記録を禁止する。（ステップＳ１２）
【００４０】
この際、制御装置１６によって、画像データを遠隔記録媒体３０１又は３０２に送信したというＯＳＤ情報、又は画像データの記録をすべて禁止したというＯＳＤ情報を生成し、ＳＤＲＡＭ１５に書き込み、これを受けて、表示制御部１７は、ＳＤＲＡＭ１５に書き込まれたＯＳＤ情報をバス２２を介して表示装置１８上に表示する。
なお、ＯＳＤ情報の表示後、カメラの電源をオフするか、撮像ができないようにしてもよい。
【００４１】
ステップＳ０９において、記録先記録媒体が切り替えられた後の処理を、図３に基づいて説明する。
【００４２】
制御部１６は、ステップ２０において、切り替えられた第２の媒体であるメモリカード２０２の識別情報を、メモリインターフェース１９から受信すると、メモリカード２０２を第２の記録媒体として設定して、第２の記録媒体の初期設定を完了させる。（ステップＳ２１）
初期設定が完了すると、制御装置１６は記録先記録媒体が変更されたというＯＳＤ情報を生成し、ＳＤＲＡＭ１５に書き込み、これを受けて、表示制御部１７は、ＳＤＲＡＭ１５に書き込まれたＯＳＤ情報をバス２２を介して表示装置１８上に表示する。（ステップＳ２２）
【００４３】
温度センサ部２３は、一定の周期でカメラ１０本体の温度を検知しており（ステップＳ２３）、ステップＳ２４において、本体の温度が第１の媒体の温度範囲に戻っていれば、ここでスタートに戻ることになる。
【００４４】
ステップＳ２４において、本体の温度が第１の媒体の温度範囲に戻っていなければ、制御装置１６からの画像データの記録要求を待つことになる。（ステップＳ２５）
ステップ２５において、画像データの記録要求があると、画像データを新たに指定先記録媒体となったメモリカード２０２に記録する。（ステップＳ２６）
このとき、制御部１６は、記録された画像データの識別情報（サムネイル画像情報）も第２の媒体に記録する。（ステップＳ２７）
【００４５】
ここで、本体の温度が第１の媒体の温度範囲に戻ったかを検知し、本体温度が戻っていなければ、ステップＳ２５に戻る。
【００４６】
本体の温度が第１の媒体の温度範囲に戻ってれば、ステップＳ２９に進み、第２の媒体に記録された画像データを第１の媒体への記録処理を実行し（ステップＳ２９）、スタートへ戻る。
【００４７】
ステップ２９における記録処理について、詳述する。
制御部１６では、メモリインターフェース１９を介して装着されている複数の記録媒体の初期化の際に識別情報（媒体毎の固有識別子、ＩＤ）取得し、識別情報を管理している。
電源制御部２４が、温度情報の更新を行い、本体温度が最初に設定されている第１の記録媒体の温度範囲内に戻った場合、その結果を制御部１６に送信する。
制御部１６では、その情報を受理後、メモリインターフェース１９を介して、本来の選択されていた第１の記録媒体の初期化を行い、識別情報を再取得する。
【００４８】
その結果、当初の識別情報値と一致した場合、現在記録先媒体として設定されている第２の媒体に記録されていた画像データと画像データの保持されている名前とのファイルをメモリインターフェース１９を介して読み出し、その画像データをＳＤＲＡＭコントローラ１４３を介してＳＤＲＡＭ１５に書き込む。
なお、第２の媒体として、ＳＤＲＡＭ１５が設定されている場合は、識別用の画像データの保持されている名前のファイルを制御装置１６が読み出すことになる。
【００４９】
制御部１６では、ＳＤＲＡＭ１５書き込まれている画像データを再度、メモリインターフェース１９に介して当初設定されていた第１の媒体に記録し直す。
画像データが複数ある場合は、完了するまで、この処理を繰り返し、終了する。
この間、制御部１６は、外部操作部よりの入力を禁止する。
【００５０】
【発明の効果】
本発明により、ユーザは、デジタルスチルカメラの長時間の使用による、カメラ本体の温度上昇によって選択されている記録媒体作動不能状態になった場合、自動的に記録媒体の変更を行い、撮影を続行することが可能なため、シャッタチャンスや撮影した画像の損失を極力排除することができる。
【００５１】
また、複数の記録媒体がすべて使用不可になった状況においても、ネットワークに接続していれば、自動的にネットワークを介して記録が可能となり、ユーザの長時間使用可能になるという点と、高温下での記録媒体の使用を避けることができるため、記録媒体を保護することができるという効果がある。
また、本発明では、本来の記録媒体が記録可能となった状態で、その間の画像を記録しなおすので記録媒体ごとに画像を整理しているユーザの手間を省くものである。
【００５２】
また、記録再開時は、記録媒体の識別情報を用いて認証を行うので、誤った同形態の記録媒体を本装置に装着しても、誤った情報を書き込むことがないという効果もある。
【図面の簡単な説明】
【図１】本発明の実施の態様のデジタルスチルカメラのブロック図。
【図２】本発明の画像データの記録管理制御を示すフローチャート。
【図３】記録先記録媒体が切り替えられた後の記録管理制御を示すフローチャート。
【符号の説明】
１０  デジタルスチルカメラ
１１  レンズ部
１２  ＣＣＤ部
１３  フロントエンド部、
１４  画像データ処理部
１５  ＳＤＲＡＭ
１６  制御部
１７  表示制御部
１８  表示装置
１９  メモリインターフェース
２０  外部記録媒体用インターフェース
２１  ネットワークインターフェース
２２  バス
２３  温度センサ
２４  電源制御部
２５  外部操作部
３０  遠隔記憶媒体
【図１】
2004289307.tif 000003
【図２】
2004289307.tif 000004
【図３】
2004289307.tif 000005